(57)【要約】      （修正有）【課題】室外機の薄型化を図りながら、ファンモータの脱落を抑制することができる空気調和機の室外機を提供する。【解決手段】空気調和機の室外機１は、筐体と、筐体の内側に配置されたファンモータとを備え、筐体は、底部材２１と、底部材に対して起立して設けられた前壁２２と、前壁を支持するスタンド３とを有しており、ファンモータは、前壁に取り付けられており、スタンドは、上端が前壁と接触し、下方に向かって前壁から離れて傾けられている。【選択図】図４
2019032093.tif 000002
【特許請求の範囲】
【請求項１】
空気調和機の室外機であって、
筐体と、
前記筐体の内側に配置されたファンモータとを備え、
前記筐体は、
底部材と、
前記底部材に対して起立して設けられた前壁と、
前記前壁を支持するスタンドと
を有しており、
前記ファンモータは、前記前壁に取り付けられており、
前記スタンドは、上端が前記前壁と接触し、下方に向かって前記前壁から離れて傾けられている空気調和機の室外機。
【請求項２】
前記筐体は、前記筐体の外側に設けられる第１のスタンドを有している請求項１に記載の空気調和機の室外機。
【請求項３】
前記筐体は、前記底部材の下面に固定された脚部を備えており、
前記脚部は、前記底部材の鉛直方向から見たときに、前記前壁より外側に突出した突出部分を有しており、
前記スタンドの下端が前記脚部と接触されている請求項２に記載の空気調和機の室外機。
【請求項４】
前記スタンドは、前記脚部と単一の部材として形成されている請求項３に記載の空気調和機の室外機。
【請求項５】
前記スタンドの下端が、前記脚部に固定されている請求項３に記載の空気調和機の室外機。
【請求項６】
前記筐体は、前記筐体の内側に設けられた第２スタンドを有し、
前記第２スタンドの下端は、前記底部材と接触している請求項１から請求項５のいずれかに記載の空気調和機の室外機。
【請求項７】
前記第２スタンドの下端は、前記底部材に固定されている請求項６に記載の空気調和機の室外機。
【請求項８】
前記スタンドの上端は、前記前壁に固定されている請求項１から請求項７のいずれかに記載の空気調和機の室外機。
【請求項９】
前記前壁にリブが設けられている請求項１から請求項８のいずれかに記載の空気調和機の室外機。
【発明の詳細な説明】
【技術分野】
【０００１】
本発明は空気調和機の室外機に関する。
【背景技術】
【０００２】
従来、家屋用の空気調和機としては一般的にヒートポンプ方式が採用され、室外機と室内機とに分かれた分離型（セパレート型）が主流である。屋外に室外機が配置され、屋内には室内機が配置され、家屋の外壁を貫通する冷媒配管で室外機と室内機とが接続される。空気調和機の室外機に係る技術が特許文献１に開示されている。
【０００３】
特許文献１に記載された従来の空気調和機はケーシングと、空気熱交換器と、軸流ファンと、ファンモータと、ファンガードと、を備える。軸流ファンはケーシングの空気の吹き出し口である空気流通口に臨み、ファンモータによって回転される。ファンガードは空気流通口に固定される。そして、ファンモータがファンガードの内面に固定される。ファンモータがファンガードに直接取り付けられることで、別部材からなるモータ取付板を必要とせず、室外機のコストダウンを図ることができる。
【先行技術文献】
【特許文献】
【０００４】
【特許文献１】実開昭６２−１０５４３３号公報
【発明の概要】
【発明が解決しようとする課題】
【０００５】
近年、空気調和機の室外機のケーシングは、底面と、上面と、４個の側面とを組み合わせた構成を有している。そして、特許文献１に記載された従来の空気調和機の室外機のように、ファンガードに対して、ファンモータを直接取り付けると、ケーシングのファンガードが取り付けられる側面でモータを支持する。そして、ファンモータが駆動による振動も、ファンガードが取り付けられる側面に作用する。従来のケーシングの側面は、荷重や振動に耐える、すなわち、強度部材としての役割を果たしていない。
【０００６】
そのため、ケーシングの側面に、ファンモータが取り付けられると、その荷重、振動、推力が側面に作用する。その結果、側面の固定が外れて、側面が筐体から分離し、脱落することがある。また、側面の筐体からの分離により、ファンモータ及び軸流ファンが落下して、ファンモータ及び軸流ファンが破損するおそれがある。
【０００７】
本発明は、上記の点に鑑みなされたものであり、室外機の薄型化を図りながら、ファンモータの脱落を抑制することができる空気調和機の室外機を提供することを目的とする。
【課題を解決するための手段】
【０００８】
本発明の例示的な空気調和機の室外機は、筐体と、前記筐体の内側に配置されたファンモータとを備え、前記筐体は、底部材と、前記底部材に対して起立して設けられた前壁と、前記前壁を支持するスタンドとを有しており、前記ファンモータは、前記前壁に取り付けられており、前記スタンドは、上端が前記前壁と接触し、下方に向かって前記前壁から離れて傾けられている。
【発明の効果】
【０００９】
例示的な本発明の空気調和機の室外機によれば、室外機の薄型化を図りながら、ファンモータの脱落を抑制することができる。
【図面の簡単な説明】
【００１０】
【図１】図１は、本発明にかかる空気調和機の室外機の外観を示す概略斜視図である
【図２】図２は、図１に示す空気調和機の室外機の正面図である。
【図３】図３は、図１に示す空気調和機の室外機の分解斜視図である。
【図４】図４は、本発明にかかる空気調和機の室外機の断面図である。
【図５】図５は、通風部にファンモータを取り付けた状態を示す背面図である。
【図６】図６は、通風部にファンモータを取り付けた状態を示す断面図である。
【図７】図７は、本発明にかかる空気調和機の室外機の他の例を示す断面図である。
【図８】図８は、本発明にかかる空気調和機の室外機のさらに他の例を示す断面図である。
【図９】図９は、本発明にかかる空気調和機の室外機のさらに他の例を示す断面図である。
【図１０】図１０は、本発明にかかる空気調和機の室外機のさらに他の例を示す断面図である。
【図１１】図１１は、本発明にかかる空気調和機の室外機のさらに他の例を示す断面図である。
【発明を実施するための形態】
【００１１】
＜第１実施形態＞
以下に本発明の例示的な実施形態について図面を参照して説明する。図１は、本発明にかかる空気調和機の室外機の外観を示す概略斜視図である。また、図２は、図１に示す空気調和機の室外機の正面図である。さらに、図３は、図１に示す空気調和機の室外機の分解斜視図である。
【００１２】
＜１．１  空気調和機の室外機の概略構成＞
室外機１は、不図示の室内機との組み合わせで構成される分離型の空気調和機の室外機である。室外機１は、例えばベランダ、屋上等の屋外の床面上に設置される。図３に示すように、室外機１は、筐体２と、通風部４と、電源部５と、圧縮機６と、熱交換器７と、ファンモータ８とを備えている。そして、室外機１において、電源部５と、圧縮機６と、熱交換器７と、ファンモータ８とは、筐体２の内部に配置される。すなわち、空気調和機の室外機１は、筐体２と、筐体２の内側に配置されたファンモータ８とを備えている。
【００１３】
筐体２は、箱型である。筐体２は、例えば、合成樹脂部品と板金部品とで構成される。しかしながら、これに限定されるものではなく、合成樹脂部品で全体を構成してもよいし、板金部品で全体を構成してもよい。また、これら以外の材料で構成してもよい。筐体２は外部に配置されるものであり、雨、風、日照等の天候の変化から、内部の物品を保護できる構成を広く採用できる。
【００１４】
図３に示すように、筐体２は、底部材２１と、前壁２２と、第１側壁２３と、第２側壁２４と、背面板２５と、天面板２６と、第１スタンド３を有している。筐体２の詳細については、後述する。
【００１５】
電源部５は、例えば筐体２の内部に設置される不図示の支持部に支持される。電源部５は、外部の商用電源等から電力供給を受けて、室外機１が動作するために必要な電圧を生成する。電源部５は、不図示の電気回路等を用いて整流、降圧、昇圧等を行って室外機１で用いられる各種電圧を生成する。電源部５は、室外機１の各構成要素に電力を供給する。
【００１６】
圧縮機６は、筐体２の底板２１の上面に設置される。圧縮機６は、冷凍サイクルで用いる冷媒を圧縮し、高温高圧気体の冷媒を生成する。圧縮機６が吐出する冷媒は、室外機１の熱交換器７及び室内機が収容する熱交換器（不図示）に送られる。
【００１７】
熱交換器７は、筐体２の底板２１の上面に設置される。熱交換器７は、筐体２の第１側壁２３および背面板２５に設けられた吸込口２８に隣接して配置される。熱交換器７には、冷房運転時に熱交換器７から冷媒が流入し、暖房運転時には室内機の熱交換器から冷媒が流入する。ファンモータ８を駆動すると、外部から吸込口２８を通って筐体２の内部に吸い込まれた外気が熱交換器７を通過する。熱交換器７は、筐体２の内部に吸い込まれた外気との間で熱交換を行う。例えば、空気調和機が冷房運転のとき、熱交換器７に流入した冷媒は、吸込口２８から吸い込まれた外気に熱を渡す。また、空気調和機が暖房運転のとき、熱交換器７に流入した冷媒は、吸込口２８から吸い込まれた外気から熱を奪う。
【００１８】
ファンモータ８は、筐体２の内側に配置される。ファンモータ８は、筐体２の正面の開口部２２１に隣接して設けられる。ファンモータ８は、その回転軸線を略水平にして配置される。ファンモータ８は、インペラ８１と、これを回転させるモータ８２とを組み合わせたものである。ファンモータ８は、後述の図５等に示すように、後述の通風部４を介して、前壁２２の後述する開口部２２１に取り付けられる。すなわち、ファンモータ８は、前壁２２に取り付けられている。ファンモータ８は、モータ８２の回転によってインペラ８１を回転させて、軸線方向の気流を発生させる。空気調和機の室外機１において、インペラ８１の回転によって発生する気流は、開口部２２１から外部に流出する方向である。
【００１９】
その他、室外機１は、不図示の四方弁、膨張弁等の構成要素を備える。四方弁は、冷房運転時、暖房運転時などの異なる運転モードにおいて冷媒の流通方向を切り替えるために設けられる。膨張弁には、開度制御の可能なものが用いられる。
【００２０】
＜１．２  筐体の構成＞
続いて、室外機１の筐体２の詳細について、図面を参照して説明する。底部材２１は、底部材である。底部材２１は、板金部材であり、長方形状の板材である。上述のとおり、圧縮機６および熱交換器７が底部材２１の上面に固定される。
【００２１】
本実施形態にかかる底部材２１は、長方形状の板金部材である。すなわち、筐体２は、底部材２１を有する。底部材２１には、前面取付部材２１０と、一対の側部取付部材２１１と、背面取付部材２１２とが設けられている。前面取付部材２１０は、底部材２１の長辺の一方から鉛直方向に起立している。また、背面取付部材２１２は、底部材２１の長辺の他方から鉛直方向に起立している。さらに、一対の側部取付部材２１１は、底部材２１の両短辺のそれぞれに鉛直方向に起立している。なお、前面取付部材２１０と、一対の側部取付部材２１１と、背面取付部材２１２は底部材２１と、単一の部材として形成されている。
【００２２】
なお、ここで、前面取付部材２１０と、一対の側部取付部材２１１と、背面取付部材２１２と、底部材２１とを単一の部材で形成するとは、前面取付部材２１０と、一対の側部取付部材２１１と、背面取付部材２１２と、底部材２１とを同一の材料で、同一の部材として形成することである。すなわち、前面取付部材２１０と、一対の側部取付部材２１１と、背面取付部材２１２と、底部材２１とを一体として形成することである。以下の説明において、２つの部材が、単一の部材であるとの記載がある場合、上述と同様に、２つの部材を一体として形成していることを指す。
【００２３】
底部材２１は、下面に設けられた２個の脚部２０を有している。すなわち、底部材２１は、下面に設けられた脚部２０を有している。脚部２０は、底部材２１の長手方向の両端の近傍に設けられており、脚部２０は、底部材２１の短辺よりも長い長尺状である。脚部２０は、底部材２１を鉛直方向に見たとき、長辺から突出した部分を有している。すなわち、脚部２０は、底部材２１の鉛直方向から見たときに、前壁２２より外側に突出した突出部分を有している。脚部２０を備えていることで、空気調和機の室外機２が、底部材２１の短手方向に倒れにくくなる。脚部２０は、一面（例えば、下面）が、開口した箱型であってもよいし、板状或いは棒状の部材であってもよい。なお、空気調和機の室外機２では、設置面に配置された設置台（不図示）の上に配置されることが多い。このような場合、脚部２０は、設置台に固定される。
【００２４】
前壁２２は、前壁である。前壁２２は、長方形状の板材である。前壁２２は、底部材２１に設けられた前面取付部材２１０に固定される。そして、前壁２２は、底部材２１と直角をなす。すなわち、前壁２２は、底部材２１に対して起立して設けられている。
【００２５】
前壁２２には、前壁２２を貫通する、開口部２２１が設けられている。すなわち、前壁２２には、筐体２を貫通する開口部２２１が設けられている。開口部２２１の形状は、特に限定されないが、本実施形態では円形である。空気調和機の室外機１において、開口部２２１は吹出口として用いられる。
【００２６】
なお、前壁２２の左側の辺は、第１側壁２３の後述する前リブ２３１に固定される。また、前壁２２の右側の辺は、第２側壁２４の後述する前リブ２４１に固定される。前壁２２と、前リブ２３１および前リブ２４１との固定は、固定部材Ｆｐを用いた固定としている。固定部材Ｆｐとしては、ここでは、ねじを挙げることができるが、これに限定されない。例えば、リベット、スクリューリベット、プッシュリベット等を挙げることができる。また、固定部材Ｆｐを用いずに、溶接、ロウ付け等の固定構造で固定してもよい。前壁２２と前リブ２３１および前リブ２４１とを固定できる構造を広く採用することができる。
【００２７】
前壁２２には、上下方向または左右方向に延びる凹凸であるリブ２７が設けられている。リブ２７を設けることで、筐体２自体の揺れ、共振を抑制する。例えば、リブ２７が、上下方向延びる構成の場合、筐体２が、上下方向の中間部分で折れるのを抑制することができる。リブ２７が前壁２２の上端から下端まで到達する形状であってもよい。また、リブ２７が左右方向に延びる構成の場合、圧縮機６やファンモータ８の振動の側面板２３、２４への、伝播を抑制することができる。リブ２７が前壁２２の左端から右端まで到達する形状であってもよい。
【００２８】
なお、本実施形態では、前壁２２にリブ２７を設けているが、第１側壁２３、第２側壁２４、背面板２５または天面板２６の少なくとも一つに形成されていてもよい。また、リブ２７に限定されるものではなく、別部材を取り付ける構成であってもよい。すなわち、前壁２２にリブが設けられている。
【００２９】
背面板２５も、板金部材であり、長方形状の板材である。背面板２５は、一辺を背面取付部材２１２に固定される。これにより、背面板２５は、底部材２１の一方の長辺と接続され、底部材２１と直角をなす。背面板２５は、複数個の吸込口２８を備えている。吸込口２８は、背面板２５を貫通する。吸込口２８は、筐体２を貫通する貫通孔である。ファンモータ８の駆動によって、筐体２内部の空気が開口部２２１から吹出される。これにより、吸込口２８から、外部の空気が筐体２の内部に吸い込まれる。
【００３０】
なお、背面板２５の左側の辺は、第１側壁２３の後述する後リブ２３２に固定される。また、背面板２５の右側の辺は、第２側壁２４の後述する後リブ２４２に固定される。背面板２５と、後リブ２３２および後リブ２４２との固定は、前壁２２と前リブ２３１および前リブ２４１との固定で示した固定構造のいずれかを利用してもよい。ここでは、固定部材Ｆｐとしてねじを用いている。
【００３１】
第１側壁２３も、板金部材であり、長方形状の板材である。第１側壁２３は、底部材２１の一方の短辺と接続され、底部材２１と直角をなす。第１側壁２３は、前壁２２の左に隣り合って配置されている。第２側壁２４は、底部材の他方の短辺と接続され、底部材２１と直角をなす。第２側壁２４は、前壁２２の右に隣り合って配置されている。第１側壁２３および第２側壁２４は、互いに対向して、対をなす側壁である。すなわち、一対の側壁２３、２４は、前壁２２と隣り合うとともに、互いに対向して配置される。
【００３２】
第１側壁２３は、短辺の一方を側部取付部材２１１に固定される。第１側壁２３と側部取付部材２１１との固定は、前壁２２と前リブ２３１および前リブ２４１との固定で示した固定構造のいずれかを利用してもよい。ここでは、固定部材Ｆｐとしてねじを用いている。
【００３３】
また、第１側壁２３は、長辺から延びる前リブ２３１と、後リブ２３２とを備えている。前リブ２３１は、前壁２２の左側の辺に固定される。また、後リブ２３２は、背面板２５の左側の辺に固定される。さらに、第１側壁２３には、吸込口２８が複数個設けられている。なお、吸込口２８は、背面板２５に設けられている吸込口２８と同様、外部の空気を筐体２の内部に吸い込む開口である。
【００３４】
第２側壁２４は、短辺の一方を側部取付部材２１１に固定している。なお、第２側壁２３と側部取付部材２１１との固定は、前壁２２と前リブ２３１および前リブ２４１との固定で示した固定構造のいずれかを利用してもよい。ここでは、固定部材Ｆｐとしてねじを用いている。また、第２側壁２４は、長辺から延びる前リブ２４１と、後リブ２４２とを備えている。前リブ２４１は、前壁２２の右側の辺に固定される。また、後リブ２４２は、背面板２５の右側の辺に固定される。
【００３５】
なお、第１側壁２３および第２側壁２４は、ともに、底部材２１に固定される。しかしながら、第１側壁２３および第２側壁２４が前壁２２に固定されている場合、第１側壁２３および第２側壁２４のどちらか一方が、底部材２１に固定されていても、筐体２の強度を保つことができる。すなわち、側部取付部材２１１が、一対の側壁２３、２４の少なくとも一方に固定されてもよい。
【００３６】
前壁２２、第１側壁２３、第２側壁２４及び背面板２５は、底部材２１の上面に固定されたとき、筒状となる。底部材２１に固定された、前壁２２、第１側壁２３、第２側壁２４及び背面板２５は、上方から見たときに長方形である。そして、筒形状の上面に、天面板２６が取り付けられる。天面板２６も、長方形状の板金部材である。
【００３７】
天面板２６には、長方形の各辺から鉛直下向きに延びる、固定壁２６１が設けられる。固定壁２６１は、断面長方形状の筒型である。天面板２６は、下部を底部材２１に固定された、前壁２２、第１側壁２３、第２側壁２４及び背面板２５の上部に配置される。このとき、固定壁２６１は、前壁２２、第１側壁２３、第２側壁２４及び背面板２５の外面と接触する。そして、固定壁２６１は、前壁２２、第１側壁２３、第２側壁２４及び背面板２５のそれぞれと固定される。なお、固定構造は、前壁２２と前リブ２３１および前リブ２４１との固定で示した固定構造のいずれかを利用してもよい。ここでは、固定部材Ｆｐとしてねじを用いている。
【００３８】
図４は、本発明にかかる空気調和機の室外機の断面図である。第１スタンド３は、本体部３１と、上端部３２とを備えている。本体部３１は、板状の部材である。本体部３１の一方の端部は折れ曲がって形成されており、上端部３２が形成されている。
【００３９】
第１スタンド３は、上端部３２が、前壁２２の外側に固定される。すなわち、筐体２は、筐体２の外側に設けられる第１のスタンド３を有する。第１スタンド３は、前壁２２を支持している。上端部３２の固定は、前壁２２と前リブ２３１および前リブ２４１との固定で示した固定構造のいずれかを利用してもよい。ここでは、固定部材Ｆｐとしてねじを用いている。
【００４０】
第１スタンド３は、上端部３２を固定したとき、本体部３１が下方に向かって、前壁２２から離れる。つまり、第１スタンド３は、下部が外側に向かって前壁２２から離れて傾いている。すなわち、スタンド３は、上端３２が前壁２２と接触し、下方に向かって前壁２２から離れて傾けられている。第１スタンド３の下端は、空気調和機の室外機１が設置される、設置面Ｓｐと接触している。
【００４１】
＜１．３  通風部の構成＞
図５は、通風部にファンモータを取り付けた状態を示す背面図である。図６は、通風部にファンモータを取り付けた状態を示す断面図である。なお、図６において、ファンモータ８は、その配置を示すものであるため、概略形状を示している。
【００４２】
通風部４は、前壁２２の開口部２２１を覆う。通風部４は、開口部２２１の形状に対応した円形である。通風部４の形状は、円形以外であっても良い。通風部４は、前壁２２とは別部材である。通風部４は、例えば合成樹脂で構成される。通風部４は、例えばねじ等の固定部材Ｆｐを用いて前壁２２に固定される。通風部４は、合成樹脂に限定されるものではなく、金属製であってもよい。通風部４は、ファンモータ８を支持することができる、剛性を有する構成を広く採用することができる。また、通風部４の前壁２２への固定は、ねじに限定されない。固定構造は、前壁２２と前リブ２３１および前リブ２４１との固定で示した固定構造のいずれかを利用してもよい。
【００４３】
通風部４は、円板部４０と、リブ部４１と、ガード部４２と、通気孔４３とを備えている。円板部４０は、通風部４０の中央に形成された円形部分である。円板部４０には、ファンモータ８が取り付けられる。すなわち、ファンモータ８は、通風部４に取り付けられる。ファンモータ８は、ここでは、ねじで固定されているが、これに限定されない。駆動時を含めて、ファンモータ８が円板部４０に対して移動しない固定構造を広く採用することができる。
【００４４】
リブ部４１は、円板部４０から径方向に延びている。リブ部４１は複数個備えられており、周方向に等間隔に配列されている。そして、ガード部４２は、円板部４０の周囲に配置され、周方向に延びる。ガード部は複数個備えられており、径方向に配列されている。通気孔４３は、周方向に延び、通風部４を軸方向に貫通している。つまり、通気孔４３は、通風部４で開口部２２１を覆ったとき、前壁２２を貫通している。通気孔４３は、ファンモータ８の駆動によって発生する空気が吹出す開口である。すなわち、前壁２２は、前壁２２を貫通する通気孔４３を有する通風部４を有する。そして、通風部４は、中央にファンモータ８が取り付けられるとともに、ファンモータ８の周囲に通気孔４３が設けられている。
【００４５】
図５に示すように、リブ部４１とガード部４２とは、単一の部材で形成されている。つまり、通気孔４３は、リブ部４１と、ガード部４２とで囲まれている。なお、通風部４の形状は、これに限定されない。例えば、六角形状の通気孔４３が、２次元配列された構造、すなわち、ハニカム構造であってもよい。
【００４６】
図５に示すように、複数のリブ部４１及び複数のガード部４２を備えることで、通気孔４３から人の手指が筐体２の内部に入ることを抑制する。また、通風部４を用いることで、通風部４の外面と、ファンモータ８のインペラ８１との間の隙間Ｌを大きくすることができる。これにより、通気孔４３から人の手指が侵入した場合でも、手指がインペラ８１に接触しにくくなる。そのため、人の手指が傷つくのを抑制することができる。また、複数のリブ部４１及び複数のガード部４２は、通気孔４３から筐体２の内部に異物が混入することも抑制できる。
【００４７】
＜１．４  第１スタンドについて＞
続いて、室外機１の下面板２１と前壁２２とについて説明する。図３に示すように、空気調和機の室外機１において、ファンモータ８は、通風部４に取り付けられる。そして、通風ファン４が、全面板２２に取り付けられる。このとき、通風部４は、開口部２２１の軸線方向の外側を覆う。また、通風部４は、ねじ等の固定部材を用いて、前壁２２に対して、分離可能に取り付けられていてもよい。
【００４８】
前壁２２には、ファンモータ８が取り付けられた、通風部４が取り付けられている。そのため、前壁２２には、それ自体および通風部４に加えて、ファンモータ８の重量が作用する。また、ファンモータ８の駆動による振動や気流の発生による軸力も作用する。つまり、前壁２２と、第１側壁２３、第２側壁２４および天面板２５とを固定している固定部材Ｆｐに振動および力が作用する。そのため、これらの固定部材Ｆｐは外れやすくなる。
【００４９】
このように、前壁２２にファンモータ８が取り付けられた構成の場合、ファンモータの振動や荷重で底部材２１と前壁２２を固定している固定部材Ｆｐが外れる場合がある。そして、固定部材Ｆｐが外れると、前壁２２の下部が、底部材２１から外部に脱落して、前壁２２が、筐体２の内側に倒れる。このように、前壁２２が内側に倒れると、ファンモータ８が、筐体２の内部の構成要素と接触する。これにより、ファンモータ８のインペラ８１やモータ８２が破損してしまう場合がある。また、ファンモータ８が駆動状態であると、構成要素をインペラ８１またはモータ８２の回転子が、構成要素と衝突し、構成要素を破損してしまう。また、前壁２２は、下部が脱落したのち、外側に倒れる場合がある。ファンモータ８が駆動状態の場合、インペラ８１の回転で、人の手足を傷つけてしまう場合がある。また、筐体２の外部の物品に接触して、破損、破壊してしまうこともある。
【００５０】
本実施形態にかかる空気調和機の室外機１では、前壁２２の外側に、下方に向かって外側に傾斜した第１スタンド３が取り付けられている。第１スタンド３は、上端部３２が前壁２２と固定されている。そして、下端が設置面Ｓｐと接触している。これにより、前壁２２は、外側を、第１スタンド３に支持されているため、前壁２２の底部材２１からの脱落が抑制される。これにより、固定部材Ｆｐの一部またはすべてが外れても、前壁２２の下部の、底部材２１からの脱落するおよび倒れるのを抑制できる。これにより、ファンモータ８自体の破損、筐体２の内部の構成要素の破損および人の手足を傷つけるのを抑制することができる。
【００５１】
つまり、本実施形態にかかる空気調和機の室外機１は、ファンモータ８が、前壁２２に取り付けられるため、室外機１を薄型化できる。そして、第１スタンド３を設けることで、前壁２２が底部材２１からずれにくい、つまり、ファンモータ８の脱落を抑制できる。このことから、空気調和機の室外機を薄型化しつつ、ファンモータ８の脱落を抑制できる。
【００５２】
なお、本実施形態にかかる筐体２は、板金部材を組み合わせたものとしているが、これに限定されない。例えば、合成樹脂の成型体であってもよい。
【００５３】
＜１．５  第１実施形態の第１変形例＞
続いて、第１実施形態の室外機１の変形例について説明する。図７は、本発明にかかる空気調和機の室外機の他の例を示す断面図である。図７に示すように、第１スタンド３の下端は、脚部２０に接触するように設けられていてもよい。すなわち、スタンド３の下端３３が、脚部２０と接触されていてもよい。
【００５４】
空気調和機の室外機１は、図７に示すように、設置台Ｂｄを介して取り付けられることが多い。この設置台Ｂｄは、高さ、大きさがバラバラであり、設置台Ｂｄが省略される場合もある。そのため、第１スタンド３の下端が、脚部２０と接触する構成とすることで、設置台Ｂｄの形状、大きさにかかわらず、第１スタンド３が、前壁２２を私事ずることが可能である。
【００５５】
＜１．６  第１実施形態の第２変形例＞
第１実施形態の室外機１の他の変形例について説明する。図８は、本発明にかかる空気調和機の室外機のさらに他の例を示す断面図である。図８に示すように、第１スタンド３の下端部３３が、脚部２０に固定されている。すなわち、スタンド３の下端３３が、脚部２０に固定されている。そして、上端部３２は前壁２２に接触している。
【００５６】
このような構成であっても、固定部材Ｆｐの脱落による前壁２２の底部材２１からの脱離を抑制することが可能である。なお、上端部３２を、前壁２２に形成された凹部（不図示）に挿入したりして、前壁２２の動きを規制する構成となっていてもよい。また、上端部３２も固定するようにしてもよい。
【００５７】
＜２．第２実施形態＞
＜２．１  第１スタンドの構成＞
次に、本発明の例示的な第２実施形態の空気調和機の室外機について説明する。図９は、本発明にかかる空気調和機の室外機のさらに他の例を示す断面図である。なお、本実施形態の空気調和機の室外機１Ｂは、第１スタンド３Ｂが異なる以外、先に説明した第１実施形態の室外機１と同じである。そのため、本実施形態の室外機１において、第１実施形態の室外機１と共通する部分には、同じ符号を付す。また、実質上、同じ部分の説明は、省略する。
【００５８】
第１スタンド３Ｂは、脚部２０と単一の部材として形成されている。すなわち、スタンド３Ｂは、脚部２０と単一の部材として形成されている。脚部２０の前端が上側に折り曲げられている。そして、その先端が、前壁２２と接触している。このように、第１スタンド３Ｂと脚部２０とが単一の部材であることで、部品点数を減らすことができる。また、取り付けに要する手間と時間を減らすことができる。
【００５９】
これ以外の特徴については、第１実施形態と同じである。なお、第１スタンド３Ｂの先端を、前壁２２に固定してもよい。また、第２スタンド３Ｂの先端を、前壁２２に形成された凹部に挿入して、前壁２２の移動を規制する構成であってもよい。
【００６０】
＜３．第３実施形態＞
＜３．１  第２スタンドの構成＞
次に、本発明の例示的な第３実施形態の空気調和機の室外機について説明する。図１０は、本発明にかかる空気調和機の室外機のさらに他の例を示す断面図である。なお、本実施形態の空気調和機の室外機１Ｃの、基本的な構成は先に説明した第１実施形態の室外機１と同じである。そのため、本実施形態の室外機１Ｃの、第２実施形態の室外機１と共通する部分には、同じ符号を付す。また、実質上、同じ部分の説明は、省略する。
【００６１】
本実施形態にかかる、空気調和機の室外機１Ｃは、筐体２の内部に、第２スタンド９が設けられている。第２スタンド９は、本体部９１と、上端部９２と、下端部９３とを有している。
【００６２】
本体部９１は、板状である。本体部９１の一端が上端部９２であり、他端が下端部９３である。上端部９２が前壁２２に固定される。このとき、本体部９１は、下部が前壁２２から離れて傾斜している。そして、下端部９３が底部材２１と接触している。これにより、前壁２２は、内側を、第２スタンド９に支持されているため、前壁２２の底部材２１からの脱落が抑制される。これにより、固定部材Ｆｐの一部またはすべてが外れても、前壁２２の下部の、底部材２１からの脱落および倒れを抑制できる。これにより、ファンモータ８自体の破損、筐体２の内部の構成要素の破損および人の手足を傷つけるのを抑制することができる。
【００６３】
第２スタンド９は、下端部９３が底部材２１に固定されていてもよい。なお、第２スタンド９は、上端部９２が前壁２２に固定され、下端部９３が底部材２１に固定されていてもよい。上端部９２または下端部９３の少なくとも一方が、筐体２に固定されていればよい。
【００６４】
＜３．２  第３実施形態の変形例＞
第３実施形態の室外機の他の変形例について説明する。図１１は、本発明にかかる空気調和機の室外機のさらに他の例を示す断面図である。図１１に示すように、室外機１Ｃ２は、第２スタンド９Ｃを備えている。第２スタンド９Ｃは、下端部９３が底部材２１に固定されていてもよい。すなわち、第２スタンド９Ｃの下端９３は、底部材２１に固定されていてもよい。
【００６５】
このように、第２スタンド９Ｃを底部材に固定しても、前壁２２の底部材２１からの脱落および倒れを抑制できる。なお、下端９３を底部材２１に固定部材Ｆｐを用いて固定する場合、第２スタンド９Ｃは、脚部２０の上方に設けられていることが好ましい。そして、固定部材Ｆｐで、第２スタンド９Ｃ、底部材２１および脚部２０の全てを固定することが好ましい。
【００６６】
以上、本発明の実施形態につき説明したが、本発明の範囲はこれに限定されるものではなく、発明の主旨を逸脱しない範囲で種々の変更を加えて実施することができる。また、上記実施形態やその変形例は適宜任意に組み合わせることができる。
【産業上の利用可能性】
【００６７】
本発明は、例えば空気調和機の室外機において利用可能である。
【符号の説明】
【００６８】
１・・・室外機、２・・・筐体、２０・・・脚部、２１・・・底部材、２１０・・・前面取付部材、２１１・・・側部取付部材、２１２・・・背面取付部材、２２・・・前壁、２２１・・・開口部、２３・・・第１側壁、２３１・・・前リブ、２３２・・・後リブ、２４・・・第２側壁、２４１・・・前リブ、２４２・・・後リブ、２５・・・背面板、２６・・・天面板、２６１・・・固定壁、２７・・・凹凸、２８・・・吸込口、３・・・第１スタンド、３１・・・本体部、３２・・・上端部、３３・・・下端部、３Ｂ・・・第１スタンド、４・・・通風部、４０・・・円板部、４１・・・リブ部、４２・・・ガード部、４３・・・通気孔、５・・・電源部、６・・・圧縮機、７・・・熱交換器、８・・・ファンモータ、８１・・・インペラ、８２・・・モータ、Ｆｐ・・・固定部材、Ｓｐ・・・設置面、Ｂｄ・・・設置台
【図１】
2019032093.tif 000003
【図２】
2019032093.tif 000004
【図３】
2019032093.tif 000005
【図４】
2019032093.tif 000006
【図５】
2019032093.tif 000007
【図６】
2019032093.tif 000008
【図７】
2019032093.tif 000009
【図８】
2019032093.tif 000010
【図９】
2019032093.tif 000011
【図１０】
2019032093.tif 000012
【図１１】
2019032093.tif 000013